(57)【要約】本発明は、移動通信端末機の使用者が使用者指定の待機画面における待機モードで、移動通信端末機製造業者又は通信サービスプロバイダが提供するインタラクティブコンテンツを再生する再生器を作動することにより、待機モードで多様な操作を実行できるようにし、また使用者の操作によっては特定のＵＲＬに直ちにインターネットブラウジングされるようにする移動通信端末機における待機モード用インタラクティブコンテンツの再生方法及びこれを用いる移動通信端末機に関するものである。本発明の移動通信端末機における待機モード用インタラクティブコンテンツの再生方法及びこれを用いる移動通信端末機によると、待機モードでインタラクティブコンテンツを再生でき、使用者のキー操作によって他の映像を待機モードで見ることもできる。
2005525042.tif 000002
【特許請求の範囲】
【請求項１】
移動通信端末機において、待機モード画面として使用でき、かつ使用者のキー入力によってインタラクティブなアクションを提供する待機モード用インタラクティブコンテンツの再生方法において、インタラクティブコンテンツは前記インタラクティブアクションを実行する一つ以上の操作キー入力及び前記操作キー入力に対応する一つ以上の動作を定義するアクション情報を含み、前記インタラクティブコンテンツは複数の再生領域を含んでおり、前記再生領域のそれぞれには一つ以上の対応アクションキー入力が前記アクション情報内に定義されており、前記待機モード用インタラクティブコンテンツの再生方法は、
（１）前記移動通信端末機が待機モードに移行する段階と、
（２）前記待機モード用インタラクティブコンテンツを再生するためのインタラクティブコンテンツ再生器を作動する段階と、
（３）前記移動通信端末機に待機モード画面として設定された第１インタラクティブコンテンツの第１再生領域を再生して前記移動通信端末機のディスプレイ画面に表示する段階と、
（４）前記第１インタラクティブコンテンツの前記アクション情報に定義された前記操作キー入力を待機して受け入れる段階と、
（５）前記受け入れた操作キー入力が前記第１インタラクティブコンテンツに対して定義された前記対応アクションキー入力である場合は、前記対応アクションキー入力に対応する再生領域を再生して前記移動通信端末機のディスプレイ画面に表示し、前記受け入れた操作キー入力が前記第１インタラクティブコンテンツに対して定義された前記対応アクションキー入力でない場合は、前記アクション情報から前記操作キー入力に対応する動作の定義を取得して前記定義された動作を行う段階とを備える待機モード用インタラクティブコンテンツの再生方法。
【請求項２】
前記待機モード用インタラクティブコンテンツの再生方法は、
（ａ）前記段階（３）と段階（４）との間に、前記移動通信端末機が前記インタラクティブアクションを実行するためのインタラクティブ再生モードに移行するように定義されたインタラクティブモード切換キー入力を待機して受け入れる段階と、
（ｂ）前記第１インタラクティブコンテンツのインタラクティブモード開始領域を再生して前記移動通信端末機のディスプレイ画面に表示する段階とをさらに含む請求項１に記載の待機モード用インタラクティブコンテンツの再生方法。
【請求項３】
前記第１インタラクティブコンテンツの前記インタラクティブモード開始領域は前記第１インタラクティブコンテンツの前記複数の再生領域のなかの一つの再生領域に対応する請求項２に記載の待機モード用インタラクティブコンテンツの再生方法。
【請求項４】
前記第１インタラクティブコンテンツの前記インタラクティブモード開始領域は、前記第１インタラクティブコンテンツの前記複数の再生領域とは別途に前記第１インタラクティブコンテンツに専用として提供される再生領域である請求項２に記載の待機モード用インタラクティブコンテンツの再生方法。
【請求項５】
前記一つ以上の対応アクションキー入力は一つ以上の通常対応アクションキー入力と一つ以上の終端対応アクションキー入力とに区分され、前記段階（５）は、
（５ａ）前記受け入れた操作キー入力が前記第１インタラクティブコンテンツに対して定義された前記通常対応アクションキー入力である場合、前記対応アクションキー入力に対応する再生領域を再生して前記移動通信端末機のディスプレイ画面に表示した後、前記段階（３）に進む段階と、
（５ｂ）前記受け入れた操作キー入力が前記第１インタラクティブコンテンツに対して定義された前記終端対応アクションキー入力である場合、前記対応アクションキー入力に対応する再生領域を再生して前記移動通信端末機のディスプレイ画面に前記再生された再生領域を表示し、使用者の選択キー入力を待機して受け、前記受け入れた選択キー入力が第１値である場合は前記段階（３）に進み、前記受け入れた選択キー入力が第２値である場合は前記第一インタラクティブコンテンツの再生を終了する段階と、
（５ｃ）前記受け入れた操作キー入力が前記第１インタラクティブコンテンツに対して定義された前記対応アクションキー入力でない場合は、前記アクション情報から前記操作キー入力に対応する動作の定義を取得して前記動作を行った後、前記段階（３）に進む段階とを含む請求項１に記載の待機モード用インタラクティブコンテンツの再生方法。
【請求項６】
前記一つ以上の対応アクションキー入力は一つ以上の通常対応アクションキー入力と一つ以上の終端対応アクションキー入力とに区分され、前記段階（５）は、
（５ａ）前記受け入れた操作キー入力を分類する段階と、
（５ｂ）前記受け入れた操作キー入力が前記第１インタラクティブコンテンツに対して定義された前記通常対応アクションキー入力である場合、前記対応アクションキー入力に対応する再生領域を再生して前記移動通信端末機のディスプレイ画面に表示し、前記第１インタラクティブコンテンツの前記アクション情報に対して定義された前記操作キー入力を待機し、前記操作キー入力が提供される場合は前記段階（５ａ）に進み、前記操作キー入力が提供されない場合は前記第３段階に進む段階と、
（５ｃ）前記受け入れた操作キー入力が前記第１インタラクティブコンテンツに対して定義された前記終端対応アクションキー入力である場合は、前記対応アクションキー入力に対応する再生領域を再生して前記移動通信端末機のディスプレイ画面に表示し、使用者の選択キー入力を待機して受け、前記受け入れた選択キー入力が第１値である場合は前記段階（３）に進み、前記受け入れた選択キー入力が第２値である場合は前記第一インタラクティブコンテンツの再生を終了する段階と、
（５ｄ）前記受け入れた操作キー入力が前記第１インタラクティブコンテンツに対して定義された前記対応アクションキー入力でない場合は、前記アクション情報から前記操作キー入力に対応する動作の定義を取得して前記動作を行った後、前記段階（３）に進む段階とを含む請求項１に記載の待機モード用インタラクティブコンテンツの再生方法。
【請求項７】
前記アクション情報は、前記インタラクティブコンテンツにおいて前記インタラクティブコンテンツ再生器の使用者に対する前記インタラクティブアクションの実行をもたらす一つ以上の操作キー入力と、前記操作キー入力に対応して前記インタラクティブコンテンツ再生器が実行すべき動作とを、所定のアクション命令語セットを用いて定義する請求項１に記載の待機モード用インタラクティブコンテンツの再生方法。
【請求項８】
移動通信端末機で待機モード画面として使用でき、使用者のキー入力によってインタラクティブなアクションを提供する複数のフレームからなる待機モード用インタラクティブコンテンツを再生方法において、インタラクティブコンテンツは前記移動通信端末機のディスプレイ画面に表示される内容を各フレーム別に記述するレンダリングデータと前記使用者のキー入力に対する前記インタラクティブアクションを記述するアクション情報とを含み、前記アクション情報は前記インタラクティブアクションを実行する一つ以上の操作キー入力と前記操作キー入力に応じて前記移動通信端末機が行う動作とを定義し、前記待機モード用インタラクティブコンテンツの再生方法は、
（１）前記移動通信端末機が待機モードに移行する段階と、
（２）前記待機モード用インタラクティブコンテンツを再生するためのインタラクティブコンテンツ再生器を作動する段階と、
（３）前記移動通信端末機に待機モード画面として設定された第１インタラクティブコンテンツの第１再生領域を再生して前記移動通信端末機のディスプレイ画面に表示する段階と、
（４）前記移動通信端末機が前記インタラクティブアクションを実行するためのインタラクティブ再生モードに移行するように定義されたインタラクティブモード切換キー入力を待機して受け入れる段階と、
（５）前記第１インタラクティブコンテンツのインタラクティブモード開始領域を再生して前記移動通信端末機のディスプレイ画面に表示する段階と、
（６）前記第１インタラクティブコンテンツの前記アクション情報に定義された前記操作キー入力を待機して受け入れる段階と、
（７）前記受け入れた操作キー入力に対応する動作の定義を前記アクション情報から取得して、前記定義された動作を行う段階とを備える待機モード用インタラクティブコンテンツの再生方法。
【請求項９】
前記使用者が提供するキー入力は前記移動通信端末機のシステムプログラムにより所定のキー入力キューに伝送され、前記インタラクティブコンテンツ再生器は前記キー入力キューに対して受信動作を行うことにより、前記使用者のキー入力を受け入れる請求項８に記載の待機モード用インタラクティブコンテンツの再生方法。
【請求項１０】
内容を各フレーム別に記述する前記レンダリングデータは公知技術のＳＩＳ３（Ｓｉｍｐｌｅ  Ｉｍａｇｅ  Ｓｅｒｖｉｃｅ  ３）データフォーマットによって構成されている請求項８に記載の待機モード用インタラクティブコンテンツの再生方法。
【請求項１１】
前記アクション情報が定義する前記操作キー入力は、前記インタラクティブコンテンツに対してボタン選択として定義された操作キー入力であるボタン選択キー入力と、前記ボタン選択として定義されていない操作キー入力である非ボタン選択キー入力とからなり、前記アクション情報が定義する前記動作は、前記ボタン選択キー入力に応じて前記移動通信端末機が行う動作であるボタン選択動作と、前記非ボタン選択キー入力に応じて前記移動通信端末機が行う動作である非ボタン選択動作とからなり、前記段階（７）は、
（７ａ）前記受け入れた操作キー入力を分類する段階と、
（７ｂ）前記受け入れた操作キー入力が前記ボタン選択キー入力である場合、前記操作キー入力に対応するボタン選択を取得し、前記ボタン選択に対応する前記ボタン選択動作の定義を取得して前記定義されたボタン選択動作を行う段階と、
（７ｃ）前記受け入れた操作キー入力が前記非ボタン選択キー入力である場合、前記操作キー入力に対応する前記非ボタン選択動作の定義を取得して前記定義された非ボタン選択動作を行う段階とを含み、
前記段階（７ｂ）と前記段階（７ｃ）は順序なしで行われる請求項８に記載の待機モード用インタラクティブコンテンツの再生方法。
【請求項１２】
前記アクション情報は、前記使用者のキー入力に対する前記インタラクティブアクションをフレーム別に記述するローカルアクション情報と、前記使用者のキー入力に対する前記インタラクティブアクションを前記インタラクティブコンテンツに対して記述するグローバルアクション情報とを含んでおり、前記ローカルアクション情報は、フレーム別に前記インタラクティブアクションを行う一つ以上のローカル操作キー入力と前記ローカル操作キー入力に応じて前記移動通信端末機が行うローカル動作を定義し、前記グローバルアクション情報は、前記インタラクティブコンテンツに対して前記インタラクティブアクションを実行するための一つ以上のグローバル操作キー入力と前記グローバル操作キー入力に対応して前記移動通信端末機が行うグローバル動作を定義する請求項８に記載の待機モード用インタラクティブコンテンツの再生方法。
【請求項１３】
前記ローカルアクション情報が定義する前記ローカル操作キー入力は、前記ローカルアクション情報に対応するフレームに対してボタン選択として定義された操作キー入力であるローカルボタン選択キー入力と、前記ボタン選択として定義されていない操作キー入力であるローカル非ボタン選択キー入力とからなり、前記ローカルアクション情報が定義する前記ローカル動作は、前記ローカルボタン選択キー入力に対応して前記移動通信端末機が行う動作であるローカルボタン選択動作と、前記ローカル非ボタン選択キー入力に対応して前記移動通信端末機が行う動作であるローカル非ボタン選択動作とからなり、前記段階（７）は、
（７ａ）前記受け入れた操作キー入力を分類する段階と、
（７ｂ）前記受け入れた操作キー入力が、前記操作キー入力が提供されたフレームに対応する前記ローカルアクション情報に定義された前記ローカルボタン選択キー入力である場合、前記操作キー入力に対応するボタン選択を取得し、前記ボタン選択に対応する前記ローカルボタン選択動作の定義を取得して前記定義されたローカルボタン選択動作を行う段階と、
（７ｃ）前記受け入れた操作キー入力が前記操作キー入力の提供されたフレームに対応する前記ローカルアクション情報に定義されたローカル非ボタン選択キー入力である場合、前記操作キー入力に対応する前記ローカル非ボタン選択動作の定義を取得して前記定義されたローカル非ボタン選択動作を行う段階と、
（７ｄ）前記受け入れた操作キー入力が前記第１インタラクティブコンテンツの前記グローバルアクション情報に定義されたグローバル操作キー入力である場合、前記操作キー入力に対応する前記グローバル動作の定義を取得して前記定義されたグローバル動作を行う段階とを含み、
前記段階（７ｂ）、前記段階（７ｃ）及び前記段階（７ｃ）は順序なしで行われる請求項１２に記載の待機モード用インタラクティブコンテンツの再生方法。
【請求項１４】
待機モード用インタラクティブコンテンツ内の前記アクション情報は、特定のインターネットサイトへのインターネット接続に対応するインターネット操作キー入力と前記インターネット操作キー入力に対応して接続すべき前記特定のインターネットサイトのＵＲＬ情報とを含み、前記移動通信端末機は、待機モードで前記待機モード用インタラクティブコンテンツを再生している間に、使用者から前記インターネット操作キー入力が提供されると、前記待機モード用インタラクティブコンテンツの再生を中断し、前記ＵＲＬ情報を用いて前記特定のインターネットサイトへのインターネット接続を行う請求項１又は８に記載の待機モード用インタラクティブコンテンツの再生方法。
【請求項１５】
待機モードでインタラクティブコンテンツをインタラクティブコンテンツ再生モジュールを使用して再生し、使用者のキー入力に対して、前記インタラクティブコンテンツのアクション情報によってインタラクティブアクションを提供する移動通信端末機において、前記インタラクティブコンテンツ再生モジュールは、
前記移動通信端末機から提供されるインタラクティブオブジェクトを処理するインタラクティブマネージャと、
前記インタラクティブコンテンツを解析するコンテンツパーサと、
前記コンテンツパーサにより解析された前記インタラクティブコンテンツと前記インタラクティブマネージャが処理した前記インタラクティブオブジェクトに基づいて、前記移動通信端末機のディスプレイ画面に表示すべきイメージを生成するグラフィックソリューションと、
前記インタラクティブマネージャ、前記コンテンツパーサ及び前記グラフィックソリューションを制御し、前記使用者のキー入力を処理する再生器コントローラとを含んでおり、
前記移動通信端末機は、前記インタラクティブコンテンツ再生モジュールを使用して前記インタラクティブコンテンツを再生している間に、前記使用者のキー入力が提供されると、前記インタラクティブコンテンツ再生モジュールの前記再生器コントローラに前記使用者のキー入力を伝達し、前記再生器コントローラは、前記使用者のキー入力を受けとり、前記インタラクティブコンテンツの前記アクション情報を参照して、前記使用者のキー入力が前記インタラクティブアクションを提供するか否かを判断し、前記判断結果、前記使用者のキー入力が前記インタラクティブアクションを提供するキー入力である場合、前記キー入力に対応して前記移動通信端末機が行うべき動作の定義を前記インタラクティブコンテンツの前記アクション情報から取得し、前記移動通信端末機が前記定義された動作を行う移動通信端末機。
【請求項１６】
前記インタラクティブコンテンツ再生モジュールは前記移動通信端末機上でソフトウェアとして実装され、前記移動通信端末機のメモリモジュールに記憶され、前記移動通信端末機のプロセッサモジュールにより作動される請求項１５に記載の移動通信端末機。
【請求項１７】
前記インタラクティブコンテンツ再生モジュールは、前記コンテンツパーサにより解析した前記インタラクティブコンテンツに従いサウンドを処理するサウンドハンドラーをさらに含む請求項１５に記載の移動通信端末機。
【請求項１８】
前記インタラクティブコンテンツ再生モジュールは、前記コンテンツパーサで解析した前記インタラクティブコンテンツに従い無線データ通信を行うネットワークハンドラーをさらに含む請求項１５に記載の移動通信端末機。
【請求項１９】
前記グラフィックソリューションは、ベクターグラフィックフォーマットに従い画像データを処理するベクターグラフィックソリューションと、ラスタグラフィックフォーマットに従い画像データを処理するラスタグラフィックソリューションとを含む請求項１５に記載の移動通信端末機。
【請求項２０】
移動通信端末機において待機モード画面として使用でき、使用者のキー入力によってインタラクティブなアクションを提供する待機モード用インタラクティブコンテンツの再生方法を実行するプログラムを記録したコンピュータにより判読可能な情報記録媒体において、
前記インタラクティブコンテンツは前記インタラクティブアクションを実行する一つ以上の操作キー入力と前記操作キー入力に対応する一つ以上の動作を定義するアクション情報とを含み、前記インタラクティブコンテンツはさらに複数の再生領域を含んでおり、前記再生領域のそれぞれには一つ以上の対応アクションキー入力が前記アクション情報内に定義されており、前記待機モード用インタラクティブコンテンツの再生方法は、
（１）前記移動通信端末機が待機モードに移行する段階と、
（２）前記待機モード用インタラクティブコンテンツを再生するためのインタラクティブコンテンツ再生器を作動する段階と、
（３）前記移動通信端末機に待機モード画面として設定された第１インタラクティブコンテンツの第１再生領域を再生して前記移動通信端末機のディスプレイ画面に表示する段階と、
（４）前記第１インタラクティブコンテンツの前記アクション情報に定義された前記操作キー入力を待機して受け入れる段階と、
（５）前記受け入れた操作キー入力が前記第１インタラクティブコンテンツに対して定義された前記対応アクションキー入力である場合は、前記対応アクションキー入力に対応する再生領域を再生して前記移動通信端末機のディスプレイ画面に表示し、前記受け入れた操作キー入力が前記第１インタラクティブコンテンツに対して定義された前記対応アクションキー入力でない場合は、前記アクション情報から前記操作キー入力に対応する動作の定義を取得して前記定義された動作を行う段階とを備えるプログラムを記録したコンピュータにより判読可能な情報記録媒体。
【請求項２１】
移動通信端末機において待機モード画面として使用でき、使用者のキー入力によってインタラクティブなアクションを提供する複数のフレームからなる待機モード用インタラクティブコンテンツの再生方法を実行するプログラムを記録したコンピュータにより判読可能な情報記録媒体において、
前記インタラクティブコンテンツは前記移動通信端末機のディスプレイ画面に表示される内容を各フレーム別に記述するレンダリングデータと前記使用者のキー入力に対する前記インタラクティブアクションを記述するアクション情報とを含み、前記アクション情報は前記インタラクティブアクションを実行する一つ以上の操作キー入力と前記操作キー入力に応じて前記移動通信端末機が行う動作とを定義し、前記待機モード用インタラクティブコンテンツの再生方法は、
（１）前記移動通信端末機が待機モードに移行する段階と、
（２）前記待機モード用インタラクティブコンテンツを再生するためのインタラクティブコンテンツ再生器を作動する段階と、
（３）前記移動通信端末機に待機モード画面として設定された第１インタラクティブコンテンツの第１再生領域を再生して前記移動通信端末機のディスプレイ画面に表示する段階と、
（４）前記移動通信端末機が前記インタラクティブアクションを実行するインタラクティブ再生モードに移行するように定義されたインタラクティブモード切換キー入力を待機して受け入れる段階と、
（５）前記第１インタラクティブコンテンツのインタラクティブモード開始領域を再生して前記移動通信端末機のディスプレイ画面に表示する段階と、
（６）前記第１インタラクティブコンテンツの前記アクション情報に定義された前記操作キー入力を待機して受け入れる段階と、
（７）前記受け入れた操作キー入力に対応する動作の定義を前記アクション情報から取得して、前記定義された動作を行う段階とを備えたプログラムを記録したコンピュータで判読可能な情報記録媒体。
【発明の詳細な説明】
【技術分野】
【０００１】
本発明は、移動通信端末機の使用者が使用者指定の待機画面における待機モードで、移動通信端末機製造業者又は通信サービスプロバイダが提供するインタラクティブコンテンツを再生する再生器を作動することにより、待機モードで多様な操作を実行できるようにし、また使用者の操作によっては特定のＵＲＬに直ちにインターネットブラウジングされるようにする移動通信端末機における待機モード用インタラクティブコンテンツの再生方法及びこれを用いる移動通信端末機に関するものである。
【背景技術】
【０００２】
図１は、従来の移動通信端末機における待機モード動画像サービスの全体動作を概略的に示すフローチャートである。同図を参照すると、従来の移動通信端末機において、システムソフトウェアは、システムが初期化されるか、若しくは使用者が暫くの間端末機操作を行わなかった場合、待機モードに移行し（ＳＴ１１０）、このように待機モードに移行すると、システムソフトウェアは待機モードにおける待機モード画面として動画像コンテンツが指定されているか否かを判断し（ＳＴ１１５）、動画像コンテンツが指定されている場合、待機モード画面として動画像コンテンツを実行して（ＳＴ１２０）、初期動画像画面を表示する。その後、外部イベントが発生するまで指定画面を継続して表示する。
【０００３】
一方、動画像は複数のフレームからなるので、特定の外部イベントが発生すると（ＳＴ１２５）、その発生したイベントが“次画面の更新”イベントであるか否かを判断し（ＳＴ１３０）、そうである場合、現在の画面は、指定された次画面、つまり次のフレームに更新される（ＳＴ１３０）。前述した“次画面の更新”イベントは、通常、システムソフトウェアのタイマーイベントとして実施される。一方、待機モード画面として動画像コンテンツが指定されない場合は、静止画面の待機モード画面を表示し（ＳＴ１３５）、次いで、前述したように、外部イベントが発生するまで待機する（ＳＴ１４０）。
【０００４】
移動通信端末機のシステムソフトウェアは、“次画面の更新”イベント以外の外部イベントの発生に対しては、数字キー入力（ＳＴ１４５）、電話受信（ＳＴ１５５）、ＳＭＳ受信（ＳＴ１６５）であるか否かを順次判断し、移動通信端末機が各場合に応じて、適合した動作（ＳＴ１５０、ＳＴ１６０、ＳＴ１７０）をするように制御し、次にシステムプロセスの始めに戻り、特別なイベントがない場合、待機モードに移行する（ＳＴ１１０）。
【発明の開示】
【発明が解決しようとする課題】
【０００５】
しかし、前述した従来の動画像コンテンツ再生動作において、次画面の更新イベント信号が入力されると、次の画面として指定された画面が選択され、移動通信端末機で表示され、続いて他の継続的な次画面の更新イベント信号が入力されると、対応する指定された画面が選択され、かつ表示されるので、制限されたフレームからなる特定の動画像のみを表示するしかない。また、外部イベントが次画面の更新信号でないと、移動通信端末機から提供される各タスクに進行し、キー入力があれば指定されたタスクが自動的に実行されるため、待機モード画面上でインタラクティブコンテンツを実行することは不適当であるという問題点があった。
【課題を解決するための手段】
【０００６】
したがって、本発明は前記従来技術の問題点を解決するために案出されたもので、移動通信端末機の使用者が使用者指定の待機画面における待機モードで、移動通信端末機製造業者又は通信サービスプロバイダにより提供されるインタラクティブコンテンツを再生する再生器を作動することにより、使用者が待機モードで多様な操作を実行できるようにし、また使用者の操作によっては特定のＵＲＬに直ちにインターネットブラウジングされるようにする移動通信端末機における待機モード用インタラクティブコンテンツの再生方法及びこれを用いる移動通信端末機を提供することにその目的がある。
【発明を実施するための最良の形態】
【０００７】
以下、本発明を添付図面に基づいて詳細に説明する。
図２は本発明の待機モード用インタラクティブコンテンツ再生方法により移動通信端末機でインタラクティブコンテンツを再生する実施形態を示す図であって、図２Ａ及び図２Ｂは大韓民国の周知のキャラクターである“ウビボーイ（ｗｏｏｂｉｂｏｙ）”を用いて、移動通信端末機上で使用者にストレス解消用“怒り沈静サービス”を提供する本実施形態の例、図２Ｃ及び図２Ｄは移動通信端末機上で使用者に“ＤＤＲ（ダンス  ダンス  レボルーション）サービス”を提供する本実施形態の別の例である。本発明において、図２において示されたインタラクティブコンテンツは移動通信端末機の待機モード用画面であり、このようなコンテンツは従来技術の待機モード画面のコンテンツと同様に移動通信網を介してダウンロードして移動通信端末機のメモリモジュールに記憶されるものと仮定する。
【０００８】
まず、図２Ａ及び図２Ｂに示す“怒り沈静サービス”について説明すると、正常時の待機モードでは図２Ａのような通常の動画像又は静止画像の待機画面が表示される。表示されたウビボーイコンテンツに対して特別に定義されたキーを使用者が押すと、図２Ｂに示すように、コンテンツの表示内容が変わる。例えば、図２Ｂは、ウビボーイコンテンツに対して特別に定義されたキーが入力されると、これに応じて所定の道具が作動してウビボーイを打つ例を示す。
【０００９】
次に、図２Ｃ及び図２Ｄに示す“ＤＤＲサービス”について説明すると、正常時の待機モードにおいては、図２Ｃのような通常のダンス待機画面が表示される。示されたインタラクティブダンスコンテンツに対して特別に定義されたキー、例えば４方向の矢印キーを使用者が押すと、図２Ｄに示したように、コンテンツのダンサーがこれに対応する動作を行い、周知のＤＤＲサービスと同様、画面に表示された内容と使用者のキーパッド入力のマッチによって点数が表示される。
【００１０】
前述した“怒り沈静サービス”又は“ＤＤＲサービス”を楽しむためには、使用者が待機モードで現在動作中のインタラクティブコンテンツに対して一つ以上の、好ましくは特定のキーパッドを用いて操作しなければならない。通常移動通信端末機のキーパッドの殆どにこれに対応する機能が割り当てられている。例えば、図２Ｃ及び図２Ｄに示す“ＤＤＲサービス”を用いるためには、移動通信端末機の４方向の矢印キーを使用しなければならない。待機モードにおいて、その４方向の矢印キーにはそれぞれ“メッセージ管理”メニュー又は“電話帳”メニューなどのような対応機能が既に割り当てられている。したがって、本発明においては、待機モード画面上で、特定のインタラクティブモード活性化キー入力、例えば“取消”ボタンを長く押すキー入力があると、これに応じて待機モード用インタラクティブコンテンツが活性化状態となり、この状態で、使用者が前述した“怒り沈静サービス”又は“ＤＤＲサービス”を楽しむことがより好ましいと考えられる。ただし、本発明は、待機モード状態で使用しないキー入力により、前述した“怒り沈静サービス”又は“ＤＤＲサービス”を実行することも含む。また、本発明の待機モード用インタラクティブコンテンツはマルチメディアファイルで、映像データに限定されずにオーディオデータも含み得るものと仮定する。
【００１１】
本発明によるインタラクティブコンテンツ及びこれを用いるサービスは、図２に基づいて説明した二通りの例の他にも、本発明の範囲及び精神から逸脱しない様々な形態で実現可能であり、好ましくは、このようなインタラクティブコンテンツ及びインタラクティブサービスを用いて動画像広告が効果的に行える。例えば、インタラクティブコンテンツに特定のＵＲＬ（Ｕｎｉｆｏｒｍ  Ｒｅｓｏｕｒｃｅ  Ｌｏｃａｔｏｒ）情報を含ませた場合は、現在コンピュータ上で行われるバナー広告と類似した形態の広告動作が移動通信端末機の待機モード用画面上で行える。すなわち、移動通信端末機から提供されるインタラクティブ動画像を見ている間に、移動通信端末機の特定のキーを押して入力すると、動画像にリンクされたＵＲＬに接続されるようにする。
【００１２】
これは、本発明のインタラクティブコンテンツ再生方法を用いる他の実施形態として一つのキーによりサイトに接続されるインタラクティブ広告コンテンツを意味するものである。使用者はインタラクティブコンテンツを特定のサイトから無料でダウンロードして、待機画面コンテンツとして指定する。このようなインタラクティブコンテンツには、使用者が特定のキーを入力することにより、特定のサイトに直ちに接続されるようにするコードが含まれている。したがって、待機画面にインタラクティブコンテンツが再生されている間に、使用者がその特定のキーを入力すると、インタラクティブコンテンツ再生器又は移動通信端末機のコントローラモジュールはそのキー入力によりサイト接続機能が作動されるか否かを判断し、次いで、そのサイト接続機能が作動されると判断された場合は、インタラクティブコンテンツの再生は終了し、後述するインタラクティブマネージャを介して当該サイトのＵＲＬを無線インターネットブラウザに伝達して直ちに当該サイトに接続する。使用者が当該サイトで所望作業を完了してから待機画面に戻ると、インタラクティブコンテンツ再生器が再び作動され、指定されたインタラクティブコンテンツを見せる。
【００１３】
図３は移動通信端末機において、本発明による待機モード用インタラクティブコンテンツの再生動作を簡潔に説明するフローチャートである。同図を参照すると、本発明による移動通信端末機は、システムが初期化されるか、もしくは使用者が暫くの間端末機操作をしないと、待機モードに移行し（ＳＴ３１０）、次いで本発明によるインタラクティブコンテンツ再生器を作動した後（ＳＴ３１５）、待機画面の動画像コンテンツとして指定されたインタラクティブコンテンツを再生して、端末機画面に表示する（ＳＴ３２０）。その後、外部イベントが発生するまで指定された画面を表示し続けるが、本発明による待機モード用インタラクティブコンテンツは複数のフレームを含むので、外部イベントが発生すると（ＳＴ３２５）、その外部イベントが“次画面の更新”であるか否かが判断され（ＳＴ３３０）、そうである場合は、指定された画面は次のフレームに更新される（ＳＴ３２０）。
【００１４】
一方、発生したイベントが“次画面の更新”でないと判断された場合は、その発生したイベントが現在の待機画面の動画像として端末機画面に表示中のインタラクティブコンテンツに対して設定されたインタラクティブコンテンツ操作キー入力であるか否かが判断され（ＳＴ３３５）、そうである場合は、そのキー入力に対応して実行するように定義されている一連の動作を行い（ＳＴ３４０）、次のイベントを待機する。一方、発生したイベントがインタラクティブコンテンツ操作キー入力でない場合は、その発生したイベントが数字キー入力（ＳＴ３４５）、電話受信（ＳＴ３５５）、ＳＭＳ受信（ＳＴ３６５）であるか否かが順次解析され、移動通信端末機はそれぞれの場合に対応して適合した動作（ＳＴ３５０、ＳＴ３６０、ＳＴ３６０）を行うように制御され、その後にはシステム処理の始めに戻り、特別なイベントがない場合は待機モードに移行する（ＳＴ３１０）。
【００１５】
図４は本発明の待機モード用インタラクティブコンテンツ再生方法によりインタラクティブコンテンツを区分再生する一実施形態を説明するフローチャートである。本発明のインタラクティブコンテンツデータは従来技術の動画像とは相違するように構成されている。本発明によるインタラクティブコンテンツは全体動作をｎ個の領域に区分し、移動通信端末機が待機モードに移行してインタラクティブコンテンツ再生器が作動されると（ＳＴ４１０）、初期領域である領域［０］を再生した後、使用者のキー入力を待機する。使用者のキー入力を待機する状態での移動通信端末機の動作は多様に実施できる。例えば、移動通信端末機は領域［０］の最終フレームで静止画像を表示することもでき、あるいは所定の動画像を表示することもでき、あるいは所定の時間使用者のキー入力されない場合は、領域［０］を再生する過程を繰り返すこともできる。
【００１６】
本発明によるインタラクティブコンテンツには、インタラクティブコンテンツごとに特定のインタラクティブコンテンツ操作キーが定義されている。移動通信端末機がインタラクティブコンテンツを再生している間に、キー入力がされると、移動通信端末機は、好ましくはその入力されたキーが前記定義された特定のインタラクティブコンテンツ操作キーに含まれるか否かを検査し（ＳＴ４２０）、次いで、定義されている特定のキー入力に対してのみサービスを提供し、残りのキー入力は無視する。ただし、移動通信端末機は、例えば電源オン／オフ、ボリュームアップ／ダウン、インタラクティブモード終了などのような制御キー入力に対しては常に対応するサービスを提供することが好ましい。
【００１７】
インタラクティブコンテンツ操作キーとして定義されたキー入力ｉが提供された場合は、その入力されたキーｉは解析され（ＳＴ４２５、ＳＴ４３５）、これに対応する領域［ｉ］が再生される（ＳＴ４３０、ＳＴ４４０、ＳＴ４４５）。その後、特別に終端キーとして定義されたキー以外のキー入力に対しては初期段階（ＳＴ４１５）に戻って初期領域である領域［０］を再生し、インタラクティブコンテンツ操作キーの入力を待機する。一方、移動通信端末機は、前記終端キーとして特別に定義されたキー入力に対してはコンテンツの最終領域、つまり領域［ｎ−１］を再生した後（ＳＴ４４５）、使用者の選択を待機する。この際、使用者がＥＮＤに対応するキーを入力するという選択をすると、本発明によるインタラクティブコンテンツの再生動作を終了し、反対に使用者がＥＮＤキーでない他の選択、例えばＲＥＰＬＡＹに対応するキーを入力すると、処理過程は初期段階（ＳＴ４１５）に戻り、初期領域である領域［０］を再生した後（ＳＴ４２５）、使用者のインタラクティブコンテンツ操作キーの入力を待機する。前述した図２Ａから図２Ｄに示す“怒り沈静サービス”と“ＤＤＲサービス”の場合を例として挙げると、図２Ａ及び図２Ｃに示す動画像又は静止画像の待機画面が前述した領域［０］に対応し、インタラクティブコンテンツ操作キーｉが入力されたときに表示される図２Ｂと図２Ｄに示す動画像又は静止画像の待機画面が前述した領域［ｉ］に対応する。
【００１８】
しかし、この実施形態において、使用者の選択によってＥＮＤ又はＲＥＰＬＡＹに分岐する動作は本発明において例としてのみ記載した事項であって、あるいは、前記終端キーとして定義されたキーが入力された場合、最終領域、すなわち領域［ｎ−１］を再生し（ＳＴ４４５）、直ちに本発明によるインタラクティブコンテンツ再生動作を終了するように実施することもできる。また、この実施形態においては、それぞれの再生領域に対してインタラクティブコンテンツ操作キーが一つずつ対応しているものと示されているが、一つの再生領域に対して複数のインタラクティブコンテンツ操作キーが対応するように実施することもできる。また、図４に関連して前述した実施形態においては、“終端キー”が一つであるものと説明しているが、これは本発明の必須的な事項ではなく、インタラクティブコンテンツによっては複数の終端キーを定義して実施することもできる。
【００１９】
また、この実施形態においては、インタラクティブコンテンツ操作キーがインタラクティブコンテンツの特定の領域［ｉ］を再生するためのものだけ提示しているが、本発明のインタラクティブコンテンツ再生器は、再生動作に限らず様々な形態の動作、いわゆるアクションを行うものと理解しなければならず、図４の実施形態における領域［ｉ］の再生動作は、そのアクションの一例に過ぎない。ただし、インタラクティブコンテンツの特定の領域［ｉ］を再生するためのインタラクティブコンテンツ操作キーでない他のインタラクティブコンテンツ操作キーに対しては、それに対応するインタラクティブアクションが本発明に従い実行されるが、その部分は図４に示されていない。
【００２０】
図５は本発明の待機モード用インタラクティブコンテンツ再生方法によってインタラクティブコンテンツを区分再生する別の実施形態を説明するフローチャートである。図５の実施形態は前述した図４の実施形態とほぼ同一であるが、いわゆる“連続動作”を可能にするため、一つのインタラクティブ操作キーｉの入力（ＳＴ５２５、ＳＴ５３５）に対して領域［ｉ］が再生された直後（ＳＴ５３０、ＳＴ５４０）、別のインタラクティブコンテンツ操作キーｊが入力されたか否かを検査する（ＳＴ５５５）。仮にインタラクティブコンテンツ操作キーｊの入力がある場合は、初期領域である領域［０］を再生せずに直ちにキー入力ｊを解析し（ＳＴ５２５、ＳＴ５３５）、これに対応する領域［ｊ］を再生するように動作し、反対にインタラクティブコンテンツ操作キーｊの入力がない場合は、図４の実施形態と同様に、初期領域である領域［０］を再生し、インタラクティブコンテンツ操作キーの入力を待機する。前述した図２Ａから図２Ｄに示した“怒り沈静サービス”と“ＤＤＲサービス”の場合を例として挙げると、この実施形態の場合は、使用者の連続的な操作キー入力に対し、図２Ａ及び図２Ｃに示す初期領域、すなわち領域［０］の内容を画面に表示する必要なく連続的な動作としてサービスを提供することが可能になる。
【００２１】
図６は本発明の待機モード用インタラクティブコンテンツ再生方法において、使用者のキー入力によりアクションを行い、ディスプレイに表示するために発生するプロセスを概略的に示す図である。まず、使用者が移動通信端末機のキーパッドを使用して前述したインタラクティブコンテンツ操作キーを入力すると、移動通信端末機のシステムプログラムはキー入力を確認し、所定の内部機能を用いてインタラクティブコンテンツ再生器にそのキー入力を伝達し、これに対しインタラクティブコンテンツ再生器はその伝達されたキー入力に対するサービスを円滑に提供するため、そのキー入力をキー入力キューに伝送する。
【００２２】
本発明によるインタラクティブコンテンツ再生器は、好ましくはインタラクティブコンテンツの一つのフレームを再生する都度、各フレームで取るべきアクションの有無を判断する。このため、まずキー入力キューを受信することにより、伝達されたキー入力を取得し、このようなキー入力によりサービスを提供するため、現在のフレームに対するアクション情報をインタラクティブコンテンツから取得して、そのキー入力に対応するアクションが存在するか否かを判断する。判断の結果、対応するアクションが存在する場合は、前記対応するアクションを行い、これによるフレームを生成した後、フレームの画像データを移動通信端末機のシステムソフトウェアに伝達してディスプレイを更新するようにする。判断の結果、対応するアクションが存在しない場合は、前記キー入力は無視できる。図６において、“アクション実行”、“フレーム生成”、“フレームの画像データ”、“ディスプレイの更新”は点線で表示した。
【００２３】
図７は本発明の待機モード用インタラクティブコンテンツ再生方法において、アクション実行のためのアクション命令語の例を示す表である。図７に記載のアクション命令語は、本発明のインタラクティブコンテンツにおいて、使用者によるインタラクティブコンテンツ操作キーに対応してインタラクティブコンテンツ再生器が行うべきアクションを具体的に表現するために使用され、図６の実施形態において、インタラクティブコンテンツが提供するアクション情報はこのようなアクション命令語で表現される。
【００２４】
図７はこのようなアクション命令語の実施形態を示すもので、分岐命令語、再生命令語、サウンド命令語、ビュー命令語、ボタン命令語、オブジェクト命令語、終了命令語、振動命令語に区分され、これらはそれぞれ様々な種類のアクションを示すことができる。まず、分岐命令語は、特定のフレームに移動するＧＯＴＯ＿ＦＲＡＭＥ命令語と、第１フレーム及び第２フレームの間で所定のループカウントだけ繰り返し実行するＬＯＯＰ命令語とを含み、再生命令語は、現在のフレームからインタラクティブコンテンツの再生を開始するＳＴＡＲＴ＿ＰＬＡＹ命令語と、インタラクティブコンテンツの再生を中断し、初期フレーム、つまりフレーム０に移動するＳＴＯＰ＿ＰＬＡＹ命令語と、インタラクティブコンテンツの再生を中断し、現在フレームで待機するＰＡＵＳＥ＿ＰＬＡＹ命令語とを含む。
【００２５】
また、サウンド命令語は、現在再生されている全てのサウンドをミュート（ｍｕｔｅ）させるＯＦＦ＿ＳＯＵＮＤ命令語と、現在再生されている全てのサウンドをミュート以前のボリュームに戻すＯＮ＿ＳＯＵＮＤ命令語と、特定のサウンドの再生を中断するＳＴＡＲＴ＿ＳＯＵＮＤ命令語とを含み、ビュー命令語は、カメラビューの位置を移動するＭＯＶＥ＿ＣＡＭＥＲＡ＿ＰＯＰＳ命令語と、カメラビューのズームファクタを変化させるＣＨＡＮＧＥ−ＺＯＯＭ命令語とを含む。また、ボタン命令語は、次のボタンにフォーカスを移動するＧＯＴＯ＿ＮＥＸＴ＿ＢＵＴＴＯＮ命令語と、以前のボタンにフォーカスを移動するＧＯＴＯ＿ＰＲＥＶ＿ＢＵＴＴＯＮ命令語とを含み、オブジェクト命令語は、特定のオブジェクトをディスプレイパネルに配置するＤＩＳＰＬＡＹ＿ＯＢＪＥＣＴ命令語と、特定のオブジェクトをフレームから削除するＥＸＰＵＮＧＥ＿ＯＢＪＥＣＴ命令語と、特定のオブジェクトのカラー演算をするＣＨＡＮＧＥ＿ＣＯＬＯＲ命令語とを含む。また、終了命令語は、インタラクティブコンテンツ再生器を終了するＱＵＩＴ命令語と、インタラクティブコンテンツ再生器を終了しながら特定のＵＲＬをリターンするＳＴＯＰ＿ＡＮＤ＿ＧＯＴＯ＿ＵＲＬ命令語とを含み、振動命令語は、所定の時間の間に移動通信端末機の振動を行うＶＩＢＲＡＴＥ命令語を含む。
【００２６】
これらアクション命令語の中には、指定されたアクションが実行される時点が制限されるものがある。例えば、指定されたアクションを現在のフレームが開始するときに実行することできる、あるいは現在のフレームが終了するときに実行することができる、あるいはいつでも実行することができる。例えば、前述したＧＯＴＯ＿ＦＲＡＭＥ命令語は、現在のフレームが終了するときに実行されるのに適合し、反対にＳＴＡＲＴ＿ＰＬＡＹ命令語は、現在のフレームが開始されるときに実行されるのに適合し、ＳＴＯＰ＿ＰＬＡＹ命令語はいつ実行されても構わない。
【００２７】
図８は本発明の待機モード用インタラクティブコンテンツ再生方法を実行する移動通信端末機の再生器内のデコーダ設計を概念的に示す図である。本発明による待機モード用インタラクティブコンテンツは複数のフレームからなる一種の動画像であり、インタラクティブコンテンツには、図示のように、各フレームに対するフレームデータ８１０、８２０、８３０、８３０が存在する。一つのフレームデータ８２０はレンダリングデータ８２１とアクション情報８２２を含んでいる。本発明によるインタラクティブコンテンツ再生器は、レンダリングデータ８２１に基づいて移動通信端末機のディスプレイ画面にフレームのコンテンツを表示し、またアクション情報８２２に基づいて本発明によるインタラクティブ動作を行う。ただし、このような事項は本発明の待機モード用インタラクティブコンテンツ再生方法において不可欠な事項ではないものと理解しなければならない。フレーム単位に情報を区分せず、例えば図４及び図５を参照して前述した再生領域を単位としてレンダリングデータ８２１とアクション情報８２２が含まれるように構成することもできる。
【００２８】
移動通信端末機が本発明によるインタラクティブ動作を行っている間に、使用者により提供されたキー入力は好ましくはキー入力キュー８５０に伝送され、次いでインタラクティブコンテンツ再生器がそのキー入力を処理する時に、前記キー入力キュー８５０の受信動作によりインタラクティブコンテンツ再生器に伝達される。本発明のインタラクティブコンテンツ再生器は、キー入力ｋ［ｉ］に対する本発明のインタラクティブ動作を行うためにアクションプール８６０を検索する。ここで、アクションプール８６０とは現在再生しているフレーム又は領域に対してインタラクティブサービスを提供するための使用者入力イベントのリストを意味する。このような使用者入力イベントの例としては、一般にキー入力とボタン選択がある。特定のインタラクティブコンテンツのアクション情報８２２には、インタラクティブサービスを行うための使用者入力イベントの種類及び対応するアクション命令語リスト８７０が含まれている。また、アクション命令語リスト８７０は使用者入力イベントに対してインタラクティブコンテンツ再生器が行うべきアクションのリストであって、図８に示すように、一つ若しくは複数のアクション命令語を含んで構成できる。これらアクション命令語の例としては、図７を参照されたい。
【００２９】
前述した使用者入力イベントのうち、“ボタン選択”とは再生中のインタラクティブコンテンツに対して“ボタン”として特別に定義されたイベントを意味する。例えば、図２Ｃ及び図２Ｄに示す“ＤＤＲサービス”の場合には、移動通信端末機のディスプレイ画面に表示される矢印などの指示に応じて使用者は制限された幾つかのキー入力の一つを実行しなれければならないが、このようなものを“ＤＤＲサービス”インタラクティブコンテンツに対する“ボタン選択”という。したがって、この“ボタン選択”は現在再生中のインタラクティブコンテンツに密接に関連するもので、本発明によるインタラクティブコンテンツ再生器は、まず使用者からのキー入力をボタン選択として解釈し、ボタン選択に対応するアクション命令語リスト８７０を取得した後、前記アクション命令語リスト８７０に含まれている一つ若しくは複数のアクション命令語を実行することにより、インタラクティブサービスを提供する。
【００３０】
反面、前述した使用者入力イベントのうち、“ボタン選択”以外の“キー入力”とは、再生中のインタラクティブコンテンツにおいて、“ボタン”として特に定義されたもの以外のイベントを意味するもので、例えばオーディオミュート、環境設定、又は図２Ａ及び図２Ｂに示す“怒り沈静サービス”の場合に怒り沈静対象キャラクターを打つために入力するキー入力などがこれに相当する。したがって、この“キー入力”も現在再生中のインタラクティブコンテンツに密接に関連し得る。本発明によるインタラクティブコンテンツ再生器は、まずキー入力に対応するアクション命令語リスト８７０を取得し、次いで前記取得したアクション命令語リスト８７０に含まれている一つ若しくは複数のアクション命令語を実行することにより、インタラクティブサービスを提供する。
【００３１】
前述したアクションプール８６０及びアクション命令語リスト８７０の組み合わせは、好ましくは“グローバルアクション”及び“ローカルアクション”に区分できる。まずローカルアクションは現在再生中のフレーム又は領域に限定的に適用されるアクションであり、グローバルアクションは現在再生中のフレーム又は領域とは無関係に適用されるアクションである。例えば、前述した“ＤＤＲサービス”において、矢印指示に対応するキー入力及びこれによるアクション命令語は“ローカルアクション”に相当し、環境設定、オーディオミュートなどのようなキー入力及びこれによるアクション命令語は“グローバルアクション”に相当する。ローカルアクションについての情報はフレーム又は領域８２０のアクション情報８２２に含まれていることが好ましいが、グローバルアクションについての情報はフレーム又は領域データとは分離したフィールド（図示せず）に含まれることが好ましい。
【００３２】
図９は本発明の待機モード用インタラクティブコンテンツ再生方法を実行する移動通信端末機の再生器内のインタラクティブサービス動作を示す概念図である。同図を参照すると、本発明によるインタラクティブコンテンツ再生器は、待機モード用インタラクティブコンテンツを再生している間に外部からキー入力が提供されると、提供されたキー入力ｋ［ｉ］をまず取り出し（ＳＴ９１０）、次いでキー入力ｋ［ｉ］が前述した“ボタン選択”に相当するかを否かを判断し（ＳＴ９１５）、“ボタン選択”に相当する場合は、キー入力ｋ［ｉ］をこれに対応するボタン選択として解釈し、“ボタン選択”に相当しない場合は、キー入力をそのまま使用する。その後、“ボタン選択”又は“キー入力”に対して前述したアクションプール８６０を検索する（ＳＴ９２５）。仮に、マッチするものが見つからなかった場合は、その“ボタン選択”又は“キー入力”は無視される。仮に、マッチするものが見つかった場合は、これに対応するアクション命令語リスト８７０を取得し（ＳＴ９３５）、前記アクション命令語リスト８７０に含まれた一つ若しくは複数のアクション命令語を実行することにより（ＳＴ９４０、ＳＴ９４５）、前記外部キー入力に応じた本発明によるインタラクティブコンテンツサービスを提供する。その後、処理は初期段階に戻り、キー入力を待機する。
【００３３】
図１０は本発明の待機モード用インタラクティブコンテンツ再生方法を実行する移動通信端末機のインタラクティブコンテンツ再生器１０００の構成を概念的に示す図である。同図に示すように、本発明によるインタラクティブコンテンツ再生器１０００は、キャッシュ／リソースマネージャ１０１０、インタラクティブマネージャ１０２０、コンテンツパーサ１０３０、ベクターグラフィックソリューション１０４０、再生器コントローラ１０５０、ラスタグラフィックソリューション１０６０、ネットワークハンドラー１０７０、サウンドハンドラー１０８０、及びハードウェアインターフェースレイヤー１０９０を含んでいる。インタラクティブコンテンツ再生器１０００は本発明のインタラクティブコンテンツ再生方法を実行する移動通信端末機のメモリ上にソフトウェア的に実装されても、又は別途のハードウェアとして実装されてもよい。
【００３４】
図１０を参照すると、ハードウェアインターフェースレイヤー１０９０はそれぞれの移動通信端末機ごとに相違するように適用するハードウェア及びアプリケーションソフトウェアの問題点を解決するためのインターフェースとしての機能を担当する。これは、移動通信端末機において共通して使用する抽象的な部分とハードウェアに依存する部分を分離して取り扱うことにより、多様なハードウェア環境に円滑に対応しながら移動通信端末機にソフトウェアを効果的に移植することを可能にするためである。
【００３５】
また、サウンドハンドラー１０８０は、本発明の移動通信端末機において、前記インタラクティブコンテンツによるサウンド処理を担当し、ネットワークハンドラー１０７０は、本発明の移動通信端末機において、前記インタラクティブコンテンツによる無線データ通信を担当する。また、ラスタグラフィックソリューション１０６０はＢＭＰ、ＪＰＧなどのようなラスタグラフィックフォーマットの画像データを処理するためのグラフィックモジュールであり、ベクターグラフィックソリューション１０４０はベクターグラフィックフォーマットの画像データを処理するためのグラフィックモジュールである。
【００３６】
また、コンテンツパーサ１０３０はインタラクティブコンテンツの命令を解釈及び処理する。再生器コントローラ１０５０はインタラクティブコンテンツ再生器のコントローラモジュールであり、特に外部キー入力及びタイマーなどのイベント処理を担当する。また、インタラクティブマネージャ１０２０は移動通信端末機の種類によって提供されるインタラクティブオブジェクト、例えば時間、バッテリ状態などの情報を処理し、キャッシュ／リソースマネージャ１０１０は制限された移動通信端末機の環境でインタラクティブコンテンツ再生器１０００が効果的に実行できるように、キャッシュとメモリを含むシステムリソースの管理を担当する。キャッシュ／リソースマネージャ１０１０は限定された移動通信端末機のハードウェア資源を効率的に管理するものであるので、本発明によるインタラクティブコンテンツ再生器１０００に必須の構成要素とは言えない。
【００３７】
インタラクティブコンテンツ再生器で再生する画像のフォーマットは一般的にラスタグラフィックとベクターグラフィックに区分できるが、ラスタグラフィックは画像を構成する各ピクセルの情報によって画像を表示するグラフィックフォーマットであり、ベクターグラフィックは線と面に関する情報によって画像を表示するグラフィックフォーマットである。ラスタグラフィックでは画像を構成する各ピクセルにおけるグラフィック情報値を用いて画像を形成するので、大量のデータが必要とされる一方、ベクターグラフィックでは数式を用いて線と面に関する情報を入力するので、画像のデータ量を減らすことができる。また、ラスタグラフィックによるインタラクティブコンテンツの場合、使用者のキーパッド入力イベント及びタイマーイベントに対応して再生器コントローラ１０５０が表示される次の画像を決定し、順次再生することにより、インタラクティブコンテンツが使用者の操作に反応して動作するようにする一方、ベクターグラフィックによるインタラクティブコンテンツの場合は、使用者のキーパッド入力に従い標準画像からの特定の変位値が判断され、次いで、次画像が修正され、表示される。
【００３８】
インタラクティブコンテンツ再生器１０００はラスタグラフィックを処理するためのラスタグラフィックソリューション１０６０を備える。このラスタグラフィックソリューション１０６０は圧縮伝送された画像データを処理するためのラスタグラフィックコデック（ｃｏｄｅｃ）１０６３、ラスタグラフィック内でオブジェクト画像の移動、拡大、縮小のような様々な操作を担当するオペレータ１０６２、及び所定のラスタグラフィックフォーマットによって命令を解釈、処理するラスタグラフィックパーサ１０６１を含んでいる。また、インタラクティブコンテンツ再生器１０００は、ベクターグラフィックを処理するためのベクターグラフィックソリューション１０４０を備えている。このベクターグラフィックソリューション１０４０を用いて変位値が処理され、画像が処理される。
【００３９】
一方、本発明の一つの実施形態によるインタラクティブコンテンツ再生器１０００では、ベクターグラフィックのみを処理するように実施される。この場合、ラスタグラフィックソリューション１０６０は不要である。反対に、本発明の別の実施形態によるインタラクティブコンテンツ再生器１０００では、ラスタグラフィックのみを処理するように実施される。この場合、ベクターグラフィックソリューション１０４０を必ずしも備える必要はない。しかし、本発明のインタラクティブコンテンツに含まれたレンダリングデータ８２１を処理し、その処理データを移動通信端末機のディスプレイ画面に表示するためには、少なくとも一つのグラフィックソリューションは含まなければならない。
【００４０】
また、本発明に使用するインタラクティブコンテンツを構成することにおいて、移動通信端末機において実施するのに適した動画像データフォーマットについては、本出願人が大韓民国特許庁に２０００年１２月２２日付で特許出願番号第１０−２０００−００７９９８２号として特許出願して、２００１年７月７日付で特許公開番号第２００１−６２６０２号として特許公開された発明“無線通信を用いる動画像送受信システム及び伝送方法”において開示されている。前記特許出願に開示した動画像データフォーマットはＳＩＳ３（Ｓｉｍｐｌｅ  Ｉｍａｇｅ  Ｓｅｒｖｉｃｅ  ３）という名前で現在サービスされている。しかし、本発明による待機モード用インタラクティブコンテンツ再生方法は前記公開特許に開示されたＳＩＳ３データフォーマットに限定されるものではなく、その他の多様なフォーマットを用いても実施することができる。
【００４１】
また、図１０を参照して、本発明によるインタラクティブコンテンツ再生器１０００を説明したが、本発明の移動通信端末機は通常の移動通信端末機としての動作を行うための全ての基本構成、例えばプロセッサモジュール、メモリモジュール、ディスプレイモジュール、キーパッドモジュール、アンテナモジュール、バッテリモジュールなどを備えているものと解釈されなければならない。
【００４２】
図２を参照して前述したように、本発明の待機モード用インタラクティブコンテンツを待機画面として再生する場合は、待機モード中に使用者が提供するキー入力を処理しなければならないが、このようなキー入力が通常の電話使用、すなわち電話機内に記憶された電話番号検索、又は通話のための番号キーの入力などに対応するものであるか、若しくは本発明によるインタラクティブコンテンツサービスのためのものであるかを移動通信端末機は判断する必要がある。このような判断は多様な方法で実施することができる。そのうち、使用可能な実施形態を以下に説明する。
【００４３】
第一処理方式は待機モード用のインタラクティブコンテンツを制御するための目的で特定のキーを指定する方式であって、例えば移動通信端末機の待機画面として本発明による待機モード用インタラクティブコンテンツが再生されている場合、４方向矢印キーのうち、左右移動を制御するためのキーを本発明によるインタラクティブコンテンツサービスに使用し、その他のキーは通常の移動通信端末機の機能に対応するようにするものである。第二処理方式は、特定のキー入力をモード切換キー入力に設定し、これによりインタラクティブ再生モードと通常の移動通信端末機使用モードを切り換える方式である。このような方式は、例えばメモリにフラグを備え、使用者が前記モード切換キーを押すか否かによって当該フラグの状態を変えることで処理することができる。前記提示した二通りの処理方式は簡単なソフトウェアにより容易に実施することができ、前記提示した方式の他にも多様な方式があり得ることはもちろんである。
【００４４】
以下に、前記第一処理方式を図４のフローチャートを参照してより詳細に説明する。移動通信端末機が待機モードに移行し、インタラクティブコンテンツ再生器が作動されると（ＳＴ４１０）、インタラクティブコンテンツの初期領域である領域［０］を再生した後、使用者のキー入力を待機する状態となる。この際、使用者が前述したモード切換キー入力を提供すると、移動通信端末機はインタラクティブ再生モードに切り換り、好ましくはこの切換を使用者が確認できるように、インタラクティブコンテンツにおいてインタラクティブモード開始領域を再生してディスプレイ画面に表示する。前記インタラクティブモード開始領域は、前述したインタラクティブコンテンツを構成する複数の領域のなかの一つの領域［ｉ］と同一であるか、若しくは前記複数の領域とは異なる専用の再生領域であり得る。
【００４５】
一方、本発明によるインタラクティブコンテンツは移動通信端末機製造業者の製造工程の際に予め移動通信端末機に記憶させることも、使用者が無線インターネットを介してダウンロードして使用することも、また有線インターネット網に接続されたパーソナルコンピュータ（ＰＣ）にインタラクティブコンテンツをまずダウンロードし、次いでＰＣ及び移動通信端末機の間の通信によりＰＣから移動通信端末機にそのインタラクティブコンテンツを伝送して使用することもできる。また、複数のインタラクティブコンテンツを移動通信端末機にダウンロードし、その一つを選択し得るものが好ましい。
【００４６】
図１１は本発明の待機モード用インタラクティブコンテンツ再生方法によって移動通信端末機上でインタラクティブコンテンツを再生する別の実施形態であって、時計及びアラームコンテンツを含む場合を示す図である。図１１Ａ及び図１１Ｂに示す実施形態においては、大韓民国において周知のキャラクターである“チャング（ｚｚａｎｇｇｕ）”を用いて移動通信端末機上で“時計及びアラームサービス”が提供される。通常時の待機モードでは、図１１Ａのような通常の動画像又は静止画像の待機画面として時計が表示され、図示のチャング時計コンテンツに対して“アラームサービス”の目的上特別に定義されたキーを使用者が操作してアラーム時間を設定した場合は、設定されたアラームの時間になったとき、図１１Ｂに示すようなアラーム用動画像又は静止画像が移動通信端末機の画面に表示され、好ましくは所定のメロディも同時に再生される。
【００４７】
図１２は移動通信端末機において、本発明による待機モード用インタラクティブコンテンツとして図１１の時計及びアラームコンテンツの再生動作を簡潔に説明するフローチャートである。図１２を参照しながら、移動通信端末機の初期化過程が終了し、インタラクティブコンテンツ再生器が当該時計及びアラームコンテンツを処理する過程を検討すると、使用者が待機モード画面として本発明によるインタラクティブコンテンツであるアナログ時計を選択すると（ＳＴ１２１０）、第一にインタラクティブコンテンツ再生器を作動し（ＳＴ１２１５）、次いで前述のコンテンツパーサ１０３０を用いて当該インタラクティブコンテンツの命令語を解析する（ＳＴ１２２０）。
【００４８】
時計を示すインタラクティブコンテンツの場合、システムから時間情報を取得しなければならないが、好ましくは前述のインタラクティブマネージャ１０２０が移動通信端末機が保有する時間情報を取得し（ＳＴ１２２５）、ベクターグラフィックソリューション１０４０が使用者が選択したアナログ時計コンテンツ及び前記取得した時間情報を用いて現在時刻が表示されるアナログ時計画像を形成する。時計の背景画像がラスタグラフィックで形成されている場合は、ラスタグラフィックソリューション１０６０により時計の背景画像は処理され、時計の針はベクターグラフィックソリューション１０４０によりベクターグラフィックとして処理されるのが好ましい。
【００４９】
ベクターグラフィック１０４０で形成された時計画像はハードウェアインターフェースレイヤー１０９０を介して移動通信端末機のディスプレイ画面に表示され（ＳＴ１２３０）、再生器コントローラ１０５０は、一定時間経過後に次画面へ更新するためのタイマーイベントが発生するようにタイマーを設定する（ＳＴ１２３５）。前記タイマーイベントが発生すると（ＳＴ１２４０）、再生器コントローラ１０５０はコンテンツパーサ１０３０を用いて現在選択されているインタラクティブコンテンツの命令語を解釈する作業を再度行い（ＳＴ１２２０）、次いで前述した時間情報を取得し、かつ時計画像を表示する過程（ＳＴ１２３０）が同様に繰り返される。
【００５０】
前記のような一連の過程は、終了キー入力又は電話番号キー入力などのような待機モード脱出イベントが発生すると（ＳＴ１２４５）、待機モード状態から脱出し、インタラクティブコンテンツ再生器１０００の動作を終了する（ＳＴ１２５０）。続いて、前記発生した待機モード脱出イベントに対応するサービスを行い、所定の時間の間にイベントが発生しない場合、システムは再び待機モードに移行し、その場合、前述したインタラクティブコンテンツによる時計画像が表示される。
【産業上の利用可能性】
【００５１】
前述したように、移動通信端末における、本発明の待機モード用インタラクティブコンテンツの再生方法及びこれを用いる移動通信端末機に従えば、移動通信端末機において、インタラクティブコンテンツが別途のキー入力なしで再生可能になり、特に待機モードでインタラクティブコンテンツが再生可能になり、待機モードでの使用者のキー操作によっては他の映像も見られるようになる。
【００５２】
また、使用者が移動通信端末機の待機画面モードで再生される広告動画像を見ている間に、特定のキーを押すと、直ちに広告動画像に含まれたＵＲＬサイトに接続することができるので、本発明は移動通信端末機による広告産業の活性化に貢献するものである。
【００５３】
さらに、移動通信端末機に多様なインタラクティブコンテンツを提供することができるので、移動通信端末機の販売により効果的であり、またネットワークを介して使用者は移動通信端末機に待機モード用インタラクティブコンテンツを直ちにダウンロードできる。
【図面の簡単な説明】
【００５４】
【図１】従来の移動通信端末機における、待機モード動画像サービスの全体動作を概略的に示すフローチャート。
【図２】本発明の待機モード用インタラクティブコンテンツの再生方法により移動通信端末機でインタラクティブコンテンツを再生する実施形態を示す図。
【図３】本発明による移動通信端末機における待機モード用インタラクティブコンテンツの再生動作を概略的に示すフローチャート。
【図４】本発明の待機モード用インタラクティブコンテンツの再生方法によりインタラクティブコンテンツを区分再生する一実施形態を示すフローチャート。
【図５】本発明の待機モード用インタラクティブコンテンツの再生方法によりインタラクティブコンテンツを区分再生する別の実施例を示すフローチャート。
【図６】本発明の待機モード用インタラクティブコンテンツの再生方法に従って、使用者のキー入力アクションを受けてアクションを行い、表示するために発生するプロセスを概略的に示す図。
【図７】本発明の待機モード用インタラクティブコンテンツの再生方法に従って、アクションを実行するためのアクション命令語の例を示す表。
【図８】本発明の待機モード用インタラクティブコンテンツの再生方法を実行する移動通信端末機の再生器内で使用されるデコーダの設計概念を示す図。
【図９】本発明の待機モード用インタラクティブコンテンツの再生方法を実行する移動通信端末機の再生器のインタラクティブサービス動作を概念的に示すフローチャート。
【図１０】本発明の待機モード用インタラクティブコンテンツの再生方法を実行する移動通信端末機のインタラクティブ再生器の構成を概念的に示す図。
【図１１】本発明の待機モード用インタラクティブコンテンツの再生方法により移動通信端末機でインタラクティブコンテンツを再生する別の実施形態であって、時計及びアラームコンテンツを含む場合を示す図。
【図１２】本発明の移動通信端末機における待機モード用インタラクティブコンテンツの例として、図１１の時計及びアラームコンテンツの再生動作を概略的に示すフローチャート。
【図１】
2005525042.tif 000003
【図２】
2005525042.tif 000004
【図３】
2005525042.tif 000005
【図４】
2005525042.tif 000006
【図５】
2005525042.tif 000007
【図６】
2005525042.tif 000008
【図７】
2005525042.tif 000009
【図８】
2005525042.tif 000010
【図９】
2005525042.tif 000011
【図１０】
2005525042.tif 000012
【図１１】
2005525042.tif 000013
【図１２】
2005525042.tif 000014
【手続補正書】
【提出日】平成17年1月19日(2005.1.19)
【手続補正１】
【補正対象書類名】明細書
【補正対象項目名】０００４
【補正方法】変更
【補正の内容】
【０００４】
移動通信端末機のシステムソフトウェアは、“次画面の更新”イベント以外の外部イベントの発生に対しては、数字キー入力（ＳＴ１４５）、電話受信（ＳＴ１５５）、ＳＭＳ受信（ＳＴ１６５）であるか否かを順次判断し、移動通信端末機が各場合に応じて、適合した動作（ＳＴ１５０、ＳＴ１６０、ＳＴ１７０）をするように制御し、次にシステムプロセスの始めに戻り、特別なイベントがない場合、待機モードに移行する（ＳＴ１１０）。
【特許文献１】韓国特許出願公開第２００１−６２６０２号明細書
【特許文献２】韓国特許出願公開第２００２−３１７７５号明細書
【特許文献３】韓国特許出願公開第２００３−８９４４号明細書
【特許文献４】欧州特許出願公開第０８２７０９８号明細書
【国際調査報告】
2005525042.tif 000015
2005525042.tif 000016